(57)【要約】【課題】高信頼の印刷装置を実現して、快適な印刷業務等ができる記録装置を提供する。【解決手段】移動する感光体表面を所定の位置で摺接する回転ブラシ部材と移動する感光体表面を所定の位置で摺擦するブレード部材とを備え、感光体表面の一部である被清掃領域で異物を除去する感光体清掃装置において、ブレード部材の断面にて感光体と接触しない方のエッジをカットした断面を有していることを特徴とする。【選択図】  図２
2008165151.tif 000002
【特許請求の範囲】
【請求項１】
移動する感光体表面を所定の位置で摺接する回転ブラシ部材と、移動する前記感光体表面を所定の位置で摺擦するブレード部材とを備え、前記感光体表面の一部である被清掃領域で異物を除去する感光体清掃装置において、前記ブレード部材の断面にて感光体と接触しない方のエッジをカットした断面を有していることを特徴とする感光体清掃装置。
【請求項２】
第1項記載の感光体清掃装置において、前記ブレード部材の先端が前記回転ブラシ部材と接触し摺擦することを特徴とする感光体清掃装置。
【請求項３】
請求項１または２記載の感光体清掃装置を備えたことを特徴とする記録装置。
【発明の詳細な説明】
【技術分野】
【０００１】
本発明は、静電情報記録装置や電子写真複写装置などの記録装置に用いられる感光体清掃装置に関するものである。
【背景技術】
【０００２】
電子写真方式を用いた記録装置では、感光体上に書かれた静電潜像にトナ−を吸着させて該感光体上にトナ−像（可視化像）を形成する。次いで前記トナ−像を用紙に静電気的に吸い寄せ用紙上にトナー像（粉体）を転写し、用紙上の粉体トナーを固着（定着）させて印刷工程が全て終了する。
【０００３】
近年、印刷用紙の多様化は益々進み、再生紙および用紙表面に圧着糊がついた糊付紙や粘着ラベル付きのタック紙などの使用量が増えている。転写行程において用紙は感光体に接触する。このため、用紙からの粘着物などの異物が感光体表面に付着する。
【０００４】
従来の記録装置における感光体の清掃は、ブラシやゴムブレードを感光体に当接させて感光体の清掃を実施している。その中でクリーニングブレード清掃においては感光体に直接接触するため、感光体とゴムブレード接触部に異物が堆積する。
【０００５】
感光体清掃装置に関しては、例えば下記のように特許文献を挙げることができる。
【０００６】
【特許文献１】特許第3758481号公報
【特許文献２】特開2000-194240号公報
【特許文献３】特開平11-30938号公報
【発明の開示】
【発明が解決しようとする課題】
【０００７】
近年、印刷用紙の多様化は益々進み、再生紙および用紙表面に圧着糊がついた糊付紙や粘着ラベル付きのタック紙などの使用量が増えている。電子写真方式を用いた記録装置では、感光体上に書かれた静電潜像にトナ−を吸着させてトナ−像を形成し、前期トナ−像を用紙に転写して定着させるが、転写行程において用紙と感光体の接触が発生するため、用紙からの粘着物などの異物が感光体表面に付着し、付着した部分に静電潜像が形成できず、その結果、用紙側に正常にトナ−像が形成できないという不具合が発生することがある。
【０００８】
感光体の表面を清掃するクリーニングブレード清掃機構では、感光体とゴムブレード接触部に異物が堆積する。ブラシ等でブレード先端を常時清掃した場合でも、ブレードには厚みがあるため、感光体とブレード接触部の隅部までは満足するほど清掃できない。このような状況下では、異物の種類によって感光体を局部的に傷つける現象が発生する場合がある。更に、異物が感光体に固着し、そのまま使用を続けると、異物が感光体にくい込み、トナーやキャリア，紙粉等を引き寄せ白抜けが拡大する。係る問題を低減し印刷品質低下の防止、感光体寿命の延命措置を図ることが本発明の課題である。
【課題を解決するための手段】
【０００９】
上記目的を達成するために、本発明は、移動する感光体表面を所定の位置で摺接する回転ブラシ部材と移動する感光体表面を所定の位置で摺擦するブレード部材とを備え、感光体表面の一部である被清掃領域で異物を除去する感光体清掃装置において、ブレード部材の断面にて感光体と接触しない方のエッジをカットした断面を有していることを特徴とするものである。
【発明の効果】
【００１０】
本発明により、感光体に付着した粘着物などの異物は、感光体と異物の界面近傍で分離除去するが、長期的に安定した感光体のクリーニング性が保持できるため、これまで異物が付着した部分に静電潜像が形成できず、トナー像が現像できなく用紙にトナー像が形成できないという不具合の発生を防止することができる。更に、感光体やゴムブレードの長寿命化を図ることができる。
【００１１】
これにより、高信頼の印刷装置を実現して、快適な印刷業務等ができる印刷装置を提供できるという顕著な効果を奏するものである。
【発明を実施するための最良の形態】
【００１２】
本発明が提供する感光体の表面を清掃するクリーニングブレード清掃機構では、感光体とゴムブレード接触部に異物が極端に少ない。異物の種類によって発生する局部的な傷が発生する確率が極端に減少する。つまり、印刷品質低下防止、感光体寿命の延命措置を図ることができる。
【００１３】
以下、本発明の一実施例を図１及び図２により説明する。
【００１４】
図１は本発明の一実施例である記録装置、連続紙レーザビームプリンタ（以下、連続紙ＬＢＰ）の印写装置１の構成図であり、２はこれに搭載した感光体清掃装置を示す。
【００１５】
図１において、印刷用紙３との接触により感光体４の表面に付着した粘着物などの異物５を除去するために、感光体清掃装置２の構成品である清掃体６は、残留トナーの除電を行なうＡＣコロトロン７及び感光体の電位を落とす１ｓｔイレーズランプ８の後、更に、クリーニングブラシ９の後方近傍に設置してある。この清掃体６は、ゴムブレード１０が矢印A方向に回転する感光体４上の異物５を剥ぐようにブレードホルダ１１に固定されている。このゴムブレード１０は、印刷時に感光体４への接触角度がθ（度）以下、圧接力の目安となる線荷重がＦ（Ｎ／ｍ）以下になるように設定されている。
【００１６】
印刷用紙３に着いていた粘着物等の異物５が感光体４に付着した場合は、清掃体６のゴムブレード１０に当たる際に、異物５と感光体４との界面近傍にせん断力が発生し、異物５を感光体４から分離することができる。清掃体６で分離された異物５は、ゴムブレード１０上からクリーニングブラシ９により清掃され、吸引機構１２により、異物５は吸引除去され清掃される。
【００１７】
図２を用いて清掃体６のゴムブレード１０がクリーニングブラシ９によって清掃されている状態を部分拡大図にて説明する。
【００１８】
清掃体６の構成部品はゴムブレード１０，ゴムブレード１０をホットメルト接着で精度良く貼り付けたブレードホルダ１１，該ブレードホルダ１１をネジ等で固定したブレードベース１３からなる。清掃体６はプレチャージャ１８や２ｎｄイレーズランプ１９を固定しているホルダ２０に固定している。前記ゴムブレード１０先端を図示するように、感光体４とは接触しないエッジをカットした断面を用いることで、感光体４とゴムブレード１０がなす隅部Ｂが小さくなる。このため、ゴムブレード１０先端に堆積する異物５が極端に減少した。また、ゴムブレード１０先端をクリーニングブラシ９の先端にくい込ませるように配置することで、ゴムブレード１０先端に堆積する異物５が更に減少する。
【００１９】
以上から本発明によれば、感光体清掃装置でのクリーニング性が長期的に安定した効果が得られるようにしたので、再生紙および用紙表面に圧着糊がついた糊付紙や粘着ラベル付きのタック紙などでの印刷でも、用紙からの粘着物などの異物が感光体表面に付着してもクリーニングが良好に行なわれ、感光体に静電潜像が形成できるので、用紙には正常にトナ−像が形成でき安定した印刷品質の印刷ができる。
【００２０】
これにより、用紙の種類によらず安定した印刷業務ができ、信頼性の高い運用ができる。
【００２１】
図３は、本発明の一実施例である連続紙ＬＢＰ用感光体清掃装置２を搭載した高速レーザビームプリンタ２１の概略断面図である。
【００２２】
図において、感光体４は帯電器２２により所定電圧に均一に帯電され、上位装置（図示せず）から送信された画像情報を光源２３により照射ビ−ムを放射させ、照射ビ−ムを受けた感光体４には静電潜像が形成される。そして、この静電潜像は現像機２４で樹脂及び着色剤、帯電制御剤、流動性向上剤等からなるトナ−を用いて現像され可視像となる。
【００２３】
感光体４上にトナ−により可視像化された画像は、転写器２５により連続した印刷用紙３上に転写される。その後、感光体４の表面は、ＡＣコロトロン７により表面の電荷が除去され、感光体清掃装置２により感光体４の表面に残留したトナ−や異物が取り除かれ、再度帯電、露光、現像と工程が繰り返される。そしてトナ−像を転写された連続した印刷用紙３は、前方に搬送されプレヒ−タ２６を経て加熱ロ−ル２７と加圧ロ−ル２８が接触した加熱点より加熱加圧作用を受けながら挟持搬送され、転写されたトナ−像は連続した印刷用紙３に定着される。定着された連続した印刷用紙３は、テンションロ−ラ２９を通り、用紙受けであるスタッカ３０へ順次排出される。
【図面の簡単な説明】
【００２４】
【図１】本発明の一実施例である連続紙ＬＢＰの記録装置の構成図である。
【図２】ゴムブレードがクリーニングブラシによって清掃されている状態を説明する部分拡大図である。
【図３】本発明の一実施例である連続紙ＬＢＰ用感光体清掃装置を搭載した高速レーザビームプリンタの概略断面図である。
【符号の説明】
【００２５】
１…印写装置，２…感光体清掃装置，３…印刷用紙，４…感光体，５…異物，６…清掃体，７…ＡＣコロトロン，８…１ｓｔイレーズランプ，９…クリーニングブラシ，１０…ゴムブレード，１１…ブレードホルダ，１２…吸引機構，１３…ブレードベース，１８…プレチャージャ，１９…２ｎｄイレーズランプ，２０…ホルダ，２１…高速レーザビームプリンタ，２２…帯電器，２３…光源，２４…現像機，２５…転写器，２６…プレヒータ，２７…加熱ロール，２８…加圧ロール，２９…テンションローラ，３０…スタッカ。
【図１】
2008165151.tif 000003
【図２】
2008165151.tif 000004
【図３】
2008165151.tif 000005